(57)【要約】      （修正有）【課題】輸送体内で使用される膨張アセンブリを提供する。【解決手段】膨張アセンブリ１０は、圧力源５０から１以上の膨張可能デバイス６０へガスを供給するように構成されている。膨張アセンブリ１０は、圧力源５０と係合し且つ圧力源５０からガスを受け入れる付属器具２０を含む。付属器具２０は、付属器具２０から離れて１以上の膨張可能デバイス６０に通じているホース４０の中へガスを導くように方向付けられた出口ポート３０を含む。出口ポート３０は、解放されたガスによって付属器具２０に加えられる反作用力が中立化されるように、外向きの方向へガスを解放するように構成されている。これは、圧力源５０が移動して潜在的に人を負傷させ又は輸送体に損傷を与えることを妨げる。【選択図】図１
2019116266.tif 000002
【特許請求の範囲】
【請求項１】
膨張アセンブリ（１０）であって、
圧力源（５０）と係合し且つ前記圧力源（５０）からガスを受け入れるように構成された付属器具（２０）を備え、
前記付属器具（２０）が、前記付属器具（２０）の長手軸から径方向外向きに離れるように前記付属器具（２０）から前記ガスを導くように方向付けられた複数の出口ポート（３０）を備え、前記出口ポート（３０）が、前記長手軸の周りで対称に配置されており、
前記膨張アセンブリ（１０）が、更に、
各々が、対応する出口ポート（３０）に取り付けられた第１のホース端（４１）、及び対応する前記第１のホース端（４１）から離れるように間隔を空けられた反対側の第２のホース端（４２）を備える、複数のホース（４０）を備え、
前記ホース（４０）が、前記対応する出口ポート（３０）を通して排出された前記ガスを前記付属器具（２０）から離れるように導くように構成されている、膨張アセンブリ（１０）。
【請求項２】
前記出口ポート（３０）の各々から下流に位置決めされた弁（７０）を更に備え、前記弁（７０）の各々が、前記出口ポート（３０）に取り付けられた前記ホース（４０）に沿って流れる前記ガスの量を制御する、請求項１に記載の膨張アセンブリ（１０）。
【請求項３】
前記弁（７０）の各々が、前記ガスを受け入れる弁入口（７１）、弁出口（７２）を通して前記ガスが排出されるところの弁出口（７２）、及び前記弁入口（７１）と前記弁出口（７２）との間に位置決めされたチャンバ（７３）を備え、前記弁（７０）が、前記チャンバ（７３）を通って前記ガスが前記弁入口（７１）と前記弁出口（７２）との間を移動するところの前記チャンバ（７３）のサイズを制御するために、前記チャンバ（７３）の中へ付勢されている収縮体（７４）を更に備える、請求項２に記載の膨張アセンブリ（１０）。
【請求項４】
前記弁（７０）の各々が、前記ガスが第１の速度で前記ホース（４０）に沿って移動するときに前記収縮体（７４）が前記チャンバ（７３）の中へ第１の距離だけ延伸する第１の位置と、前記ガスが前記第１の速度より速い第２の速度で前記ホース（４０）に沿って移動するときに前記収縮体（７４）が前記チャンバ（７３）の中へ前記第１の距離より長い距離延伸する第２の位置と、前記ガスが前記第１の速度未満の第３の速度で前記ホース（４０）に沿って移動するときに前記収縮体（７４）が前記チャンバ（７３）の中へ前記第１の距離より短い距離延伸する第３の位置と、の間で動く、請求項３に記載の膨張アセンブリ（１０）。
【請求項５】
前記ホース（４０）に沿って前記ガスの流れを感知するように前記ホース（４０）に沿って位置決めされたセンサ（８１）、及び、前記センサ（８１）から信号を受信する制御回路（８０）であって、前記ホース（４０）の各々に沿ったガスの流れを等しくするように動作可能な制御回路（８０）を更に備える、請求項１から４のいずれか一項に記載の膨張アセンブリ（１０）。
【請求項６】
膨張アセンブリ（１０）であって、
一定の圧力で且つ出口（５２）を通してガスが解放されるところの出口（５２）で前記ガスを供給する圧力源（５０）、
前記出口（５２）で前記圧力源（５０）に連結された付属器具（２０）であって、前記圧力源（５０）から開口部（２１）を通して前記ガスが受け入れられるところの開口部（２１）、及び前記付属器具（２０）の長手軸から径方向外向きに離れるように前記付属器具（２０）から前記ガスを導くように方向付けられた出口ポート（３０）を含み、前記出口ポート（３０）が前記長手軸の周りで対称に配置されている、付属器具（２０）、
前記圧力源（５０）から離れるように前記ガスを導くために前記出口ポート（３０）に連結された複数のホース（４０）であって、各々が、前記出口ポート（３０）のうちの１つに取り付けられた第１のホース端（４１）、及び、前記第１の端（４１）から離れるように間隔を空けられた反対側の第２のホース端（４２）を備える、複数のホース（４０）、並びに
前記ホース（４０）の前記第２の端（４２）に連結された１以上の膨張可能デバイス（６０）を備える、膨張アセンブリ（１０）。
【請求項７】
前記出口ポート（３０）から下流に位置決めされた弁（７０）を更に備え、前記弁（７０）のうちの１つが、前記出口ポート（３０）の各々から下流に位置決めされ、前記弁（７０）の各々が、前記ホース（４０）のうちの１つに沿って流れる前記ガスの量を制御する、請求項６に記載の膨張アセンブリ（１０）。
【請求項８】
前記ホース（４０）の各々に沿ったガスの流れを等しくするために、前記弁（７０）のチャンバ（７３）のサイズを制御する制御回路（８０）を更に備える、請求項７に記載の膨張アセンブリ（１０）。
【請求項９】
前記弁（７０）の各々が、弁入口（７１）を通して前記ガスが受け入れられるところの弁入口（７１）、弁出口（７２）を通して前記ガスが排出されるところの弁出口（７２）、及び前記弁入口（７１）と前記弁出口（７２）との間に位置決めされたチャンバ（７３）を備え、前記弁（７０）が、前記チャンバ（７３）を通って前記ガスが前記弁入口（７１）と前記弁出口（７２）との間を移動するところの前記チャンバ（７３）のサイズを制御するために、前記チャンバ（７３）の中へ付勢されている収縮体（７４）を更に備える、請求項７に記載の膨張アセンブリ（１０）。
【請求項１０】
前記弁（７０）の各々の前記収縮体（７４）が、前記ガスが第１の速度で前記ホース（４０）に沿って移動するときに前記チャンバ（７３）の中へ第１の距離だけ延伸する第１の位置と、前記ガスが前記第１の速度より速い第２の速度で前記ホース（４０）に沿って移動するときに前記チャンバ（７３）の中へ前記第１の距離より長い距離延伸する第２の位置と、前記ガスが前記第１の速度未満の第３の速度で前記ホース（４０）に沿って移動するときに前記チャンバ（７３）の中へ前記第１の距離より短い距離延伸する第３の位置と、の間で動く、請求項９に記載の膨張アセンブリ（１０）。
【請求項１１】
前記ホース（４０）に沿って前記ガスの流れを感知するように前記ホース（４０）の各々に沿って位置決めされたセンサ（８１）、及び、前記センサ（８１）から信号を受信する制御回路（８０）であって、前記ホース（４０）の各々に沿ったガスの流れを等しくするように動作可能な制御回路（８０）を更に備える、請求項６から１０のいずれか一項に記載の膨張アセンブリ（１０）。
【請求項１２】
圧力源（５０）からガスを供給する方法であって、
前記圧力源（５０）の出口（５２）から付属器具（２０）の内部空間（２２）の中へ一定の圧力のガスを受け入れること、
前記付属器具（２０）の前記内部空間（２２）から前記付属器具（２０）の周りで間隔を空けられた出口ポート（３０）を通して前記ガスを分配し、推力中立化方式で前記ガスを前記付属器具（２０）から逃がすこと、及び
前記付属器具（２０）から前記出口ポート（３０）の各々に取り付けられたホース（４０）の中へ前記ガスを導くことを含む、方法。
【請求項１３】
前記出口ポート（３０）のうちの第１のものを通して第１の径方向へ前記ガスの第１の部分を分配すること、及び前記出口ポート（３０）のうちの第２のものを通して前記第１の径方向とは反対の第２の径方向へ前記ガスの第２の部分を分配することを更に含む、請求項１２に記載の方法。
【請求項１４】
前記出口ポート（３０）の各々及び前記ホース（４０）の各々を通る前記ガスの流量を等しくすることを更に含む、請求項１２又は１３に記載の方法。
【請求項１５】
前記出口ポート（３０）の各々及び前記ホース（４０）の各々を通る前記ガスの流量を前記等しくすることが、前記ホース（４０）のうちの第１のものに関連付けられた弁（７０）を自動的に調整すること、及び前記ホース（４０）のうちの前記第１のものに沿った前記ガスの前記流量を制御することを含む、請求項１４に記載の方法。
【発明の詳細な説明】
【技術分野】
【０００１】
本開示は、広くは、膨張アセンブリに関する。詳細には、本開示は、推力中立化方式で、膨張アセンブリ内においてガスが圧力源から排出され且つ膨張可能デバイスに導かれるように、当該ガスを誘導するためのデバイス及び方法に関する。
【背景技術】
【０００２】
エアバッグや膨張可能シートベルトなどの、膨張可能デバイスは、別の物体による輸送体への衝撃又は急速な突然の減速などの、突然のイベントが生じた時に、輸送体内の人を保護するように設計された種々のタイプの安全デバイスである。イベントの前に収納されていて萎んだ構成にあるエアバッグは、急速に展開し膨らんで人を保護するように設計されている。
【０００３】
膨張アセンブリは、概して、圧力源、膨張可能部材、及び圧力源から膨張可能部材に通じている１以上のガス経路を含む。圧力源は、そこを通してガスが排出されるところの出口を有する剛体を含む。圧力源は、通常、膨張可能部材の比較的近傍で輸送体内に固定されている。これは、輸送体のダッシュボード、座席、又は壁内での圧力源の位置決めを含み得る。
【０００４】
イベントの時に急速に展開されるエアバッグに対して、ガスは出口から高速で解放される。この解放は、圧力源に反作用の推力を加える。圧力源が適切に固定されていなければ、圧力源は、輸送体内で押されて動き、人を負傷させるか且つ／又は輸送体に損傷を与え得る。
【０００５】
圧力源が移動しないように、圧力源は輸送体内に固定されている。これは、輸送体の内装に対する広範な締め付けを含み得る。この締め付けは、特に、民間航空機などの大きな輸送体内のエアバッグのための多数のクランプにおいてファクタリング（factoring）が行われるときに、高価な構成要素を含み得る。更に、締め付けは、各輸送体に対して多量の作業時間を含み得る。作業者は、圧力源の各々が起動中に動かないやり方で圧力源の各々を設置することが求められる。
【発明の概要】
【０００６】
本出願は、ガスを１以上の膨張可能デバイスに供給する膨張アセンブリを含む。膨張アセンブリは、そこからガスが供給されるところの圧力源が、潜在的に人を負傷させ又はアセンブリが取り付けられている輸送体の構造に損傷を与え得る発射体になることを妨げるために、推力中立化方式でガスを供給するように構築されている。
【０００７】
一態様は、膨張アセンブリを対象とする。膨張アセンブリは、圧力源と係合し且つ圧力源からガスを受け入れるように構成された付属器具を含む。付属器具は、付属器具の長手軸から径方向外向きに離れるように付属器具からガスを導くように方向付けられた出口ポートを含み、出口ポートは、長手軸の周りで対称に配置されている。膨張アセンブリは、各々が、対応する出口ポートに取り付けられた第１のホース端と、対応する第１のホース端から離れるように間隔を空けられた反対側の第２のホース端と、を含む複数のホースも含む。ホースは、対応する出口ポートを通して排出されたガスを付属器具から離れるように導くように構成されている。
【０００８】
別の態様では、付属器具が、１８０度の角度距離だけ間隔を空けられた全部で２つの出口ポートを含む。
【０００９】
別の態様では、付属器具が、そこを通してガスが受け入れられるところの開口部、及び閉じた底側を含み、付属器具の長手軸が、開口部及び底側を通って延伸する。
【００１０】
別の態様では、膨張アセンブリが、出口ポートの各々から下流に位置決めされた弁も含み、弁の各々は、出口ポートに取り付けられたホースに沿って流れるガスの量を制御するように構成されている。
【００１１】
別の態様では、弁の各々が、ガスを受け入れる弁入口、そこを通してガスが排出されるところの弁出口、及び弁入口と弁出口との間に位置決めされたチャンバを含み、弁は、そこを通ってガスが弁入口と弁出口との間を移動するところのチャンバのサイズを制御するために、チャンバの中へ付勢されている収縮体も含む。
【００１２】
別のアセンブリでは、弁の各々が、ガスが第１の速度でホースに沿って移動するときに収縮体がチャンバの中へ第１の距離だけ延伸する第１の位置と、ガスが第１の速度より速い第２の速度でホースに沿って移動するときに収縮体がチャンバの中へ第１の距離より長い距離延伸する第２の位置と、ガスが第１の速度未満の第３の速度でホースに沿って移動するときに収縮体がチャンバの中へ第１の距離より短い距離延伸する第３の位置と、の間で動くように構成されている。
【００１３】
別の態様では、膨張アセンブリが、ホースに沿ってガスの流れを感知するようにホースに沿って位置決めされたセンサ、及び、センサから信号を受信する制御回路であって、ホースの各々に沿ったガスの流れを等しくするように動作可能な制御回路を含む。
【００１４】
別の態様は、膨張アセンブリを対象とする。膨張アセンブリは、一定の圧力で且つそこを通してガスが解放されるところの出口でガスを供給するための圧力源を含む。付属器具が、出口において圧力源に連結されている。付属器具は、そこを通してガスが圧力源から受け入れられるところの開口部、及び出口ポートを含み、出口ポートは、付属器具の長手軸の周りで対称に配置され、長手軸から径方向外向きに離れるように付属器具からガスを導くように方向付けられている。膨張アセンブリは、圧力源から離れるようにガスを導くように出口ポートに連結されたホースも含み、ホースの各々は、出口ポートのうちの１つに取り付けられる第１のホース端と第１のホース端から離れるように間隔を空けられた反対側の第２のホース端とを含む。膨張アセンブリは、第２のホース端に連結された１以上の膨張可能デバイスも含む。
【００１５】
別の態様では、膨張アセンブリが、出口ポートから下流に位置決めされた弁も含み、弁のうちの１つは、出口ポートの各々から下流に位置決めされ、弁の各々は、ホースのうちの１つに沿って流れるガスの量を制御するように構成されている。
【００１６】
別の態様では、膨張アセンブリが、ホースの各々に沿ったガスの流れを等しくするために、弁のチャンバのサイズを制御する制御回路を含む。
【００１７】
別の態様では、弁の各々が、そこを通してガスが受け入れられる弁入口、そこを通してガスが排出されるところの弁出口、及び弁入口と弁出口との間に位置決めされたチャンバを含み、弁は、そこを通ってガスが弁入口と弁出口との間を移動するところのチャンバのサイズを制御するために、チャンバの中へ付勢されている収縮体を更に含む。
【００１８】
別の態様では、弁の各々の収縮体が、ガスが第１の速度でホースに沿って移動するときにチャンバの中へ第１の距離だけ延伸する第１の位置と、ガスが第１の速度より速い第２の速度でホースに沿って移動するときにチャンバの中へ第１の距離より長い距離延伸する第２の位置と、ガスが第１の速度未満の第３の速度でホースに沿って移動するときにチャンバの中へ第１の距離より短い距離延伸する第３の位置と、の間で動くように構成されている。
【００１９】
別の態様では、出口ポートの各々が、付属器具の長手軸から等しい距離だけ離れるように間隔を空けられている。
【００２０】
別の態様では、ホースのうちの少なくとも２つが、膨張可能デバイスのうちの１つに連結されている。
【００２１】
別の態様では、膨張アセンブリが、ホースに沿ってガスの流れを感知するようにホースの各々に沿って位置決めされたセンサ、及び、センサから信号を受信する制御回路であって、ホースの各々に沿ったガスの流れを等しくするように動作可能な制御回路を含む。
【００２２】
別の態様は、圧力源からガスを供給する方法を対象とする。該方法は、圧力源の出口から付属器具の内部空間の中へ一定の圧力のガスを受け入れることを含む。該方法は、付属器具の内部空間から付属器具の周りで間隔を空けられた出口ポートを通してガスを分配し、推力中立化方式でガスを付属器具から逃がすことも含む。該方法は、付属器具から出口ポートの各々に取り付けられたホースの中へガスを導くことも含む。
【００２３】
別の態様では、該方法が、出口ポートのうちの第１のものを通して第１の径方向へガスの第１の部分を分配すること、及び出口ポートのうちの第２のものを通して第１の径方向とは反対の第２の径方向へガスの第２の部分を分配することも含む。
【００２４】
別の態様では、該方法が、出口ポートの各々及びホースの各々を通るガスの流量を等しくすることも含む。
【００２５】
別の態様では、等しくすることが、ホースのうちの第１のものに関連付けられた弁を自動的に調整すること、及びホースのうちの第１のものに沿ったガスの流量を制御することを含む。
【００２６】
別の態様では、該方法が、ホースのうちの第１のものに関連付けられた弁のサイズを低減させること、及びホースの各々を通って移動するガスの量を等しくすることも含む。
【図面の簡単な説明】
【００２７】
【図１】圧力源から１以上の膨張可能デバイスへガスを供給する膨張アセンブリの側面図である。
【図２】付属器具の斜視図である。
【図３】一対の出口ポートを有する付属器具の概略平面図である。
【図４】３つの出口ポートを有する付属器具の概略平面図である。
【図５】４つの出口ポートを有する付属器具の概略平面図である。
【図６】２つの出口ポートを有する付属器具と、出口ポートを通って出るガスによって加えられる反作用力と、の概略平面図である。
【図７】３つの出口ポートを有する付属器具と、出口ポートを通って出るガスによって加えられる反作用力と、の概略平面図である。
【図８】４つの出口ポートを有する付属器具と、出口ポートを通って出るガスによって加えられる反作用力と、の概略平面図である。
【図９】膨張アセンブリの側面図である。
【図１０】膨張アセンブリの側面図である。
【図１１】一対の膨張可能デバイスを有する膨張アセンブリの概略図である。
【図１２】一対の膨張可能デバイスを有する膨張アセンブリの概略図である。
【図１３】膨張可能デバイスを有する膨張アセンブリの概略図である。
【図１４】各出口ポートに位置決めされた弁を有する膨張アセンブリの概略側面図である。
【図１５】第１の位置にある弁の概略側面図である。
【図１６】一対の膨張可能デバイスを有する膨張アセンブリの概略図である。
【図１７】第２の位置にある弁の概略側面図である。
【図１８】第３の位置にある弁の概略側面図である。
【図１９】膨張アセンブリ内のガスの流量を制御するための制御回路及び構成要素の概略図である。
【図２０】一対の出口を有する圧力源の斜視図である。
【図２１】一対の出口を有する圧力源の斜視図である。
【図２２】圧力源からガスを供給する方法のフロー図である。
【発明を実施するための形態】
【００２８】
本出願は、膨張アセンブリ及びその使用方法を対象としている。膨張アセンブリは、圧力源から１以上の膨張可能デバイスへガスを供給するように構成されている。膨張アセンブリは、圧力源と係合し且つ圧力源からガスを受け入れる付属器具を含む。付属器具は、付属器具から離れて１以上の膨張可能デバイスに通じているホースの中へガスを導くように方向付けられた出口ポートを含む。出口ポートは、解放されたガスによって付属器具に加えられる反作用力が中立化されるように、外向きの方向へガスを解放するように構成されている。これは、圧力源が移動して潜在的に人を負傷させ又は輸送体に損傷を与えることを妨げる。
【００２９】
図１は、付属器具２０、出口ポート３０、及びホース４０を含む、膨張アセンブリ１０を示している。膨張アセンブリ１０は、圧力源５０からガスを受け入れ、１以上の膨張可能デバイス６０へガスを供給する。付属器具の出口ポート３０は、付属器具２０から出るガスを供給する。出口ポート３０は、異なる方向へガスを逃がすことによって加えられる反作用力が互いに相殺され、膨張アセンブリ１０に加えられる全体の推力が中立化されることをもたらすように構成されている。これは、膨張アセンブリ１０が、移動し潜在的に発射体になることを妨げる。
【００３０】
付属器具２０は、圧力源５０と直接的に連結され、又は１以上のホースなどの中間部材を通じて圧力源５０に連結され得る。収容、搬送、設置の間、一旦完全に設置されたら、並びに運航及び保守の間を含んで、製造後にアセンブリ１０が推力中立のままであるために、付属器具２０は圧力源５０に連結されたままであり得る。
【００３１】
図２は、圧力源に連結され圧力源からガスを受け入れるように構成された付属器具２０を示している。付属器具２０は、圧力源５０と係合するようにサイズ決定された開口部２１を含む。開口部２１は、底側２５によって収容されている内部空間２２に通じている。付属器具２０の長手軸Ｌは、開口部２１、内部空間２２、及び底側２５を通って延伸する。
【００３２】
開口部２１は、圧力源５０と連結するために、圧力源５０の対応するネジと係合するネジ２３を含み得る。開口部２１は、開口部２１を形成している部分の外縁から内側に延在する１以上のスロット２４を含む、他の機械的連結のために構成されていてもよい。スロット２４の各々は、付属器具２０を圧力源５０に固定するために、圧力源５０の突起を受け入れるようにサイズ決定されている。スロット２４は、付属器具を圧力源５０に固定するために、一旦突起が挿入されたら付属器具２０を捩じることが可能なように遠位端のジョグを含み得る。
【００３３】
付属器具２０内の出口ポート３０は、内部空間２２からガスを導くように設けられている。出口ポート３０は、様々な形状及びサイズを含み得る。図２は、内部空間２２から離れるように径方向外向きに延在するネック３３を有する出口ポート３０を含む。出口ポート３０は、ネック３３なしに形成され、付属器具２０を通る開口部だけを含んでもよい。出口ポート３０は、ホース４０を受け入れるように構成されている。これは、ホース４０と係合する、ネジ３１又は１以上のスロット３２を含み得る。付属器具２０の周りの出口ポート３０の数及び位置決めは、膨張アセンブリ１０に応じて変動し得る。
【００３４】
図３、図４、及び図５は、長手軸Ｌから径方向外向きに離れる反対方向へガスを導くために、付属器具２０の内部空間２２の周りで対称に配置された出口ポート３０を有する付属器具２０を概略的に示している。図３は、１８０度の角度距離だけ間隔を空けられた付属器具２０の両側の一対の出口ポート３０を含む。図４は、長手軸Ｌから離れるようにガスを導き且つ１２０度の角度距離だけ間隔を空けられた、３つの出口ポート３０を有する、付属器具２０を含む。図５は、９０度の角度距離だけ間隔を空けられた４つの出口ポート３０を含む。
【００３５】
出口ポート３０は、付属器具２０から離れるように径方向外向きにガスを導くために、付属器具２０の周りに配置されている。各出口ポート３０を通して導かれるときに、逃げるガスは、ガスの移動方向から反対向きに付属器具２０へ反作用の推力を加える。出口ポート３０は、これらの反作用の推力が互いに反作用して、圧力源５０に加えられる全体の原動力を中立化させるように付属器具の周りに配置されている。出口ポート３０のこの推力中立化配置は、圧力源５０が、ガスの解放中に移動すること、及び、潜在的に人を負傷させ且つ／又は輸送体に損傷を与える可能性がある発射体になることを妨げる。
【００３６】
図６は、付属器具２０の出口ポート３０の推力中立化配置を概略的に示している。付属器具２０は、内部空間２２の両側に一対の反対側の出口ポート３０を含む。第１の反作用の推力Ｆ１が、第１の出口ポート３０を通して解放されるガスを介して、付属器具２０及びそれに取り付けられた圧力源５０に加えられる。第２の反作用の推力Ｆ２が、第２の出口ポート３０を通して解放されるガスを介して、付属器具２０及びそれに取り付けられた圧力源５０に加えられる。力Ｆ１、Ｆ２は、付属器具２０及びそれに取り付けられた圧力源５０に加えられる全体の原動力を中立化させるように互いを相殺する。
【００３７】
図７は、３つの出口ポート３０を有する付属器具２０を示している。出口ポート３０の各々を通して解放されるガスによって加えられる反作用の推力Ｆ１、Ｆ２、Ｆ３は、互いに反作用する。これは、付属器具２０及びそれに取り付けられた圧力源５０への全体の原動力が推力中立化されることをもたらす。図８は、４つの出口ポート３０を有する付属器具を示している。再び、ガスによって加えられる反作用の推力Ｆ１、Ｆ２、Ｆ３、Ｆ４は、推力中立化された全体の原動力をもたらす。
【００３８】
ホース４０が、付属器具２０から更に離れるように出口ポート３０からガスを導く。図１で示されているように、各ホース４０は、第１の端４１と反対側の第２の端４２を含む。付属器具２０及び／又は膨張可能デバイス６０に装着されるように、端４１、４２の一方又は両方にカラー４３が取り付けられ得る。カラー４３は、ホース４０に回転可能に取り付けられ、それぞれ、出口ポート３０と膨張可能デバイス６０の対応するネジ３１に螺合するように構成された内ネジを含み得る。ホース４０は、様々な長さ及び内径を含み得る。
【００３９】
図９は、圧力源５０と、圧力源５０に取り付けられ且つ異なる径方向にガスを解放する出口ポート３０を有する付属器具２０と、を含む膨張アセンブリ１０を示している。ホース４０は、出口ポート３０に取り付けられ、１以上の膨張可能デバイス６０へ延在する。
【００４０】
圧力源５０は、硬い外側筐体５１を含む。図９で示されているように、筐体５１は、細長い引き伸ばされたような形状を含み得る。圧力源５０は、膨張可能デバイス６０を展開するために必要なことを実施するイベントを特定する１以上のセンサに接続されている。イベントが生じたときに、圧力源は、筐体５１の端に位置決めされた出口５２を通して圧縮されたガスを解放する。出口５２は、圧力源５０の長手軸と同じ方向にガスが解放される、図９で示されている軸構成を含み得る。別の構成は、圧力源５０の長手軸に対して横断する方向、例えば、９０度でガスが排出される屈曲した付属器具（elbow fitting）を含む。
【００４１】
１以上の膨張可能デバイス６０は、ホース４０の第２の端４２に取り付けられている。膨張可能デバイス６０は、ナイロン及びポリエステルの織物を含む、薄い織物から製造され得る。膨張可能デバイス６０は、使用されていないときに収納された配向で配置されている。これは、最小量の空間を占めるために折り畳まれた膨張可能デバイス６０を含み得る。ガスを受け入れるや否や、膨張可能デバイス６０は、輸送体内の１以上の人に対して接触するために展開された配向を占める。１つの具体的な膨張可能デバイス６０は、折り畳まれた構成から拡大した形状及びサイズへ展開するエアバッグである。別の膨張可能デバイス６０は、人の膝にわたり装着される２点ラップシートベルトである。収納された配向では、ベルトが低減されたサイズを有する。展開するや否や、ベルトは人を遮蔽するためのサイズに膨張する。
【００４２】
図９は、ホース４０の各々が膨張可能デバイス６０に取り付けられている膨張アセンブリ１０を含む。図１０は、ガスを膨張可能デバイス６０に供給する代わりにガスを放出する、ホース４０のうちの１つを有する膨張アセンブリ１０を含む。この膨張アセンブリ１０は、付属器具２０から外向きに延在する一対のホース４０を含む。ホース４０は、逃げるガスによって加えられる反作用の推力を中立化させる両側の出口ポート３０に連結されている。第１のホース４０は、第１の出口ポート３０から膨張可能デバイス６０へ延在する。第２のホース４０は、第２の出口ポート３０から延在する。第２のホース４０は、付属器具から離れるようにガスを供給するが、第２の端４２は、膨張可能デバイス６０に取り付けられていない。むしろ、第２の端４２は、単にガスを放出するだけで、取り付けられていないのである。第２の出口ポート３０は、付属器具２０に加えられる反作用の推力を中立化させるが、膨張可能デバイス６０を膨張させるためにガスを供給することは必要でない。
【００４３】
膨張アセンブリ１０は、様々な異なる配置を受け入れるように構成され得る。図１１は、一対の座席１００内の一対のシートベルト膨張可能デバイス６０を有する、膨張アセンブリ１０を含む。一対のシートバック膨張可能デバイス６０をサポートするために、類似の配置が膨張アセンブリ１０のために使用され得る。図１２は、第１の座席１００内に座っている人を保護するための第１のシートベルト膨張可能デバイス６０、及び、後部の第２の座席１００内に座っている人を保護するためのシートバック膨張可能デバイス６０、を展開する膨張アセンブリ１０を含む。図１３は、輸送体の壁１０１内に取り付けられた膨張アセンブリ１０を含む。隣接する座席１００内の人を保護するために、膨張可能デバイス６０は壁内に位置決めされている。膨張アセンブリ１０は、単一の膨張可能デバイス６０をサポートする。膨張可能デバイス６０の反対側のホースは、ガスを開放空間の中へ放出し、膨張可能デバイスに関連付けられていない。
【００４４】
図１４で示されているように、弁７０が、ホース４０を通って流れるガスを制御するように位置決めされ得る。図１４で示されているように、弁７０は、出口ポート３０で付属器具２０に取り付けられてもよく、又は付属器具２０から離れるようにホース４０に沿って位置決めされてもよい。弁７０は、終端抵抗力（terminal resistance）が等しくない状況下で複数の反対の推力をバランスさせる。これは、ホース４０のうちの１つが遮断された場合などに、ホース４０のうちの１つを通って移動するガスの速度が、他の１以上のホース４０と等しくないときに生じ得る。
【００４５】
図１５は、そこを通ってガスが受け入れられるところの入口７１、そこを通ってガスが排出されるところの出口７２、及び中間のチャンバ７３を含む、弁７０の概略図を示している。チャンバ７３から延在する容器７６内に、収縮体７４が位置決めされている。収縮体７４は、バネ又は弾性材料の断片などの付勢部材７５によって、容器７６からチャンバ７３の中へ外向きに付勢されている。付勢部材７５は、収縮体７４に加圧能力（nominal force）を加えるように構成されている。
【００４６】
収縮体７４は、チャンバ７３内でガス経路の収縮セクションを生成する。これは、ガスがチャンバ７３の収縮セクションを通過する際にガスの速度が増加し、一方で、静圧が減少するベンチュリ効果を生成する。異なる出口ポート３０に関連付けられた弁７０は、各出口ポート３０を通って供給されているガスの速度を等しくするように構成されている。これは、逃げるガスによって付属器具２０に加えられる反作用の推力を等しくし、付属器具２０が推力中立化されることをもたらす。
【００４７】
図１６は、如何にして弁７０が推力をバランスさせるかの一実施例を示している。膨張アセンブリ１０は、一対の座席１００内の膨張可能デバイス６０にガスを供給するように構成されている。起動するや否や、膨張可能デバイス６０のうちの１つは、膨張せず又はより遅い速度で膨張し（図１６の左側の膨張可能デバイス６０）、一方で、（図１６の右側の）他の膨張可能デバイス６０は、より速い速度で膨張する。膨張中に、左側のホース４０を通ってガスがほとんど又は全く流れていない。これは、付属器具２０に等しくない推力が加えられることをもたらし得る。この課題に対処するために、右側の弁７０は、右側のホース４０を通るガスの流れを遅くするために収縮し、左側の弁７０は、左側のホース４０を通るガスの流れを増加させるためにより大きく開き得る。ガス流量のこの同等化は、逃げるガスによって加えられる反作用の推力におけるずれを低減させ又は消去する。
【００４８】
図１５は、収縮体７４がチャンバ７３の中へ第１の量だけ延伸する名目上の位置における弁７０を示している。延伸の量は、チャンバ７３の中へ外向きに収縮体７４を押す付勢部材７５の力、及び、収縮体７４に作用するガス経路に沿って移動し反力を加えるガスの力、によって制御される。
【００４９】
図１７は、収縮体７４がチャンバ７３の中へより長い距離延伸する第２の配向における弁７０を示している。この配向は、弁７０を通って移動するガスの速度が名目上の量より速いときに生じる。より速い速度は、収縮体７４上に作用するガスの力を低減させる静圧の減少をもたらす。これは、付勢部材７５の力が、収縮体７４をチャンバ７３の中へ外向きにより長い距離移動させ且つガス流を低減させることをもたらす。
【００５０】
図１８は、収縮体７４がチャンバ７３からより長い距離だけ容器７６の中へ後退する第３の配向における弁７０を示している。この配向は、ガスの速度が名目上の量より遅いときに生じる。ガスのより遅い速度は、付勢部材７５の力に反作用する静圧の増加をもたらす。これは、更にチャンバ７３から出るように容器７６の中へ収縮体７４を押すガスをもたらし、それは、ガスの流れを増加させる。
【００５１】
図１９で示されているように、弁７０の配向は、制御回路８０によっても制御され得る。制御回路８０は、ホース４０を通るガスの流れを検出するセンサ８１から信号を受信する。制御回路８０は、弁７０の各々内の収縮体７４の位置決めを制御するために、弁７０に関連付けられたアクチュエータ７７を制御する。
【００５２】
制御回路８０は、１以上のマイクロプロセッサ、マイクロコントローラ、ASIC、又は他のプログラム可能デバイスを含むことができる。制御回路８０は、制御回路８０のための処理論理を記憶した一体的な又は遠隔の非一過性のメモリ回路８５を含むことができる。制御回路８０は、ホース４０を通るガスの流れを示すセンサ８１からの信号を受信する。制御回路８０は、適切にアクチュエータ７７を起動して、ホース４０を通るガスの流れを制御し、ガスによって加えられる推力を等しくさせ得る。
【００５３】
センサ８１は、ホース４０を通るガスの流れを検出する。これは、ガスの速度、ガスの圧力、及びガスの量又は容量を検出することを含み得る。センサ８１は、出口ポート３０、弁７０、ホース４０、及び膨張可能デバイス６０のうちの１以上における流れを検出するように位置決めされ得る。アクチュエータ８２は、チャンバ７３に対して収縮体７４を移動させるように電気的に制御され且つ構成されている。
【００５４】
圧力源５０は、そこを通って圧縮されたガスが付属器具２０へ排出されるところの単一の出口５２を含み得る（図９、図１０参照）。圧力源５０は、逃げるガスによって加えられる力を中立化させるように配置された複数の出口５２を伴って構成されてもよい。図２０は、圧力源５０の一端の両側に一対の出口５２を有する圧力源５０を含む。出口５２は、圧力源５０に加えられる反作用の推力が中立化されるように、両側の方向へガスを導く。図２１は、ガスを両側の方向へ排出するために出口５２が圧力源５０の両側の端にある、推力中立化された別の圧力源５０を含む。再び、逃げるガスによって加えられる反作用力が、互いに反作用し、推力中立化された配置をもたらし得る。
【００５５】
図２２は、圧力源５０から膨張可能デバイス６０へガスを供給する方法を示している。一定の圧力のガスが、圧力源５０の出口５２から付属器具２０の内部空間２２の中へ受け入れられる（ブロック２００）。付属器具２０の内部空間２２から付属器具２０の周りで間隔を空けられた出口ポート３０を通してガスが分配され、推力中立化方式でガスが付属器具２０から逃げることをもたらす（ブロック２０１）。ガスは、出口ポート３０の各々に取り付けられたホース４０の中へ導かれる（ブロック２０２）。
【００５６】
膨張アセンブリ１０は、アセンブリ１０を設置及び保守する作業員を含む様々な人々に対して、及び輸送体内の乗客に対して保護を提供する。一態様では、ガスが排出されたときに圧力源５０に加えられる力を中立化させるために、付属器具２０は圧力源５０上にあるままである。この装着は、収容、搬送、設置の間、一旦完全に設置されたら、並びに運航及び保守の間に、維持されたままである。
【００５７】
膨張アセンブリ１０は、緊急のガス圧機械式アシストデバイスと共に使用されてもよい。これは、緊急の状態下で航空機の乗客用ドアを開けることにおいて補助するガスを分配する爆発型デバイス（explosive device）を含むことができる。膨張アセンブリ１０は、ガス容器に取り付けられ、推力中立化された保護を提供し得る。
【００５８】
圧力源５０は、様々な異なる構成を含むことができる。１つの設計では、圧力源が、ガスを含むカートリッジ式の又は類似のデバイスである。カートリッジは、様々な形状及びサイズを含み得る。
【００５９】
膨張アセンブリ１０は、様々な輸送体で使用され得る。１つの輸送体は、各々が乗客を受け入れるように構成された座席の複数の列を含む、民間航空機を含む。他の輸送体は、有人航空機、無人航空機、有人宇宙船、無人宇宙船、有人回転翼航空機、無人回転翼航空機、人工衛星、ロケット、ミサイル、有人地上輸送体、無人地上輸送体、有人水上輸送体、無人水上輸送体、有人潜水輸送体、無人潜水輸送体、及びそれらの組み合わせを含むが、それらに限定されるものではない。
【００６０】
更に、本開示は以下の条項による実施例を含む。
条項１
膨張アセンブリ（１０）であって、
圧力源（５０）と係合し且つ前記圧力源（５０）からガスを受け入れるように構成された付属器具（２０）を備え、
前記付属器具（２０）が、前記付属器具（２０）の長手軸から径方向外向きに離れるように前記付属器具（２０）から前記ガスを導くように方向付けられた複数の出口ポート（３０）を備え、前記出口ポート（３０）が、前記長手軸の周りで対称に配置されており、
前記膨張アセンブリ（１０）が、更に、
各々が、対応する出口ポート（３０）に取り付けられた第１のホース端（４１）、及び対応する前記第１のホース端（４１）から離れるように間隔を空けられた反対側の第２のホース端（４２）を備える、複数のホース（４０）を備え、
前記ホース（４０）が、前記対応する出口ポート（３０）を通して排出された前記ガスを前記付属器具（２０）から離れるように導くように構成されている、膨張アセンブリ（１０）。
条項２
前記付属器具（２０）が、１８０度の角度距離だけ間隔を空けられた全部で２つの出口ポート（３０）を含む、条項１に記載の膨張アセンブリ（１０）。
条項３
前記付属器具（２０）が、開口部（２１）を通して前記ガスが受け入れられるところの開口部（２１）、及び閉じた底側（２５）を備え、前記付属器具（２０）の前記長手軸が、前記開口部（２１）及び前記底側（２５）を通って延伸する、条項１に記載の膨張アセンブリ（１０）。
条項４
前記出口ポート（３０）の各々から下流に位置決めされた弁（７０）を更に備え、前記弁（７０）の各々が、前記出口ポート（３０）に取り付けられた前記ホース（４０）に沿って流れる前記ガスの量を制御する、条項１に記載の膨張アセンブリ（１０）。
条項５
前記弁（７０）の各々が、前記ガスを受け入れる弁入口（７１）、弁出口（７２）を通して前記ガスが排出されるところの弁出口（７２）、及び前記弁入口（７１）と前記弁出口（７２）との間に位置決めされたチャンバ（７３）を備え、前記弁（７０）が、前記チャンバ（７３）を通って前記ガスが前記弁入口（７１）と前記弁出口（７２）との間を移動するところの前記チャンバ（７３）のサイズを制御するために、前記チャンバ（７３）の中へ付勢されている収縮体（７４）を更に備える、条項４に記載の膨張アセンブリ（１０）。
条項６
前記弁（７０）の各々が、前記ガスが第１の速度で前記ホース（４０）に沿って移動するときに前記収縮体（７４）が前記チャンバ（７３）の中へ第１の距離だけ延伸する第１の位置と、前記ガスが前記第１の速度より速い第２の速度で前記ホース（４０）に沿って移動するときに前記収縮体（７４）が前記チャンバ（７３）の中へ前記第１の距離より長い距離延伸する第２の位置と、前記ガスが前記第１の速度未満の第３の速度で前記ホース（４０）に沿って移動するときに前記収縮体（７４）が前記チャンバ（７３）の中へ前記第１の距離より短い距離延伸する第３の位置と、の間で動く、条項５に記載の膨張アセンブリ（１０）。
条項７
前記ホース（４０）に沿って前記ガスの流れを感知するように前記ホース（４０）に沿って位置決めされたセンサ（８１）、及び、前記センサ（８１）から信号を受信する制御回路（８０）であって、前記ホース（４０）の各々に沿ったガスの流れを等しくするように動作可能な制御回路（８０）を更に備える、条項１に記載の膨張アセンブリ（１０）。
条項８
膨張アセンブリ（１０）であって、
一定の圧力で且つ出口（５２）を通してガスが解放されるところの出口（５２）で前記ガスを供給する圧力源（５０）、
前記出口（５２）で前記圧力源（５０）に連結された付属器具（２０）であって、前記圧力源（５０）から開口部（２１）を通して前記ガスが受け入れられるところの開口部（２１）、及び前記付属器具（２０）の長手軸から径方向外向きに離れるように前記付属器具（２０）から前記ガスを導くように方向付けられた出口ポート（３０）を含み、前記出口ポート（３０）が前記長手軸の周りで対称に配置されている、付属器具（２０）、
前記圧力源（５０）から離れるように前記ガスを導くために前記出口ポート（３０）に連結された複数のホース（４０）であって、各々が、前記出口ポート（３０）のうちの１つに取り付けられた第１のホース端（４１）、及び、前記第１の端（４１）から離れるように間隔を空けられた反対側の第２のホース端（４２）を備える、複数のホース（４０）、並びに
前記ホース（４０）の前記第２の端（４２）に連結された１以上の膨張可能デバイス（６０）を備える、膨張アセンブリ（１０）。
条項９
前記出口ポート（３０）から下流に位置決めされた弁（７０）を更に備え、前記弁（７０）のうちの１つが、前記出口ポート（３０）の各々から下流に位置決めされ、前記弁（７０）の各々が、前記ホース（４０）のうちの１つに沿って流れる前記ガスの量を制御する、条項８に記載の膨張アセンブリ（１０）。
条項１０
前記ホース（４０）の各々に沿ったガスの流れを等しくするために、前記弁（７０）のチャンバ（７３）のサイズを制御する制御回路（８０）を更に備える、条項９に記載の膨張アセンブリ（１０）。
条項１１
前記弁（７０）の各々が、弁入口（７１）を通して前記ガスが受け入れられるところの弁入口（７１）、弁出口（７２）を通して前記ガスが排出されるところの弁出口（７２）、及び前記弁入口（７１）と前記弁出口（７２）との間に位置決めされたチャンバ（７３）を備え、前記弁（７０）が、前記チャンバ（７３）を通って前記ガスが前記弁入口（７１）と前記弁出口（７２）との間を移動するところの前記チャンバ（７３）のサイズを制御するために、前記チャンバ（７３）の中へ付勢されている収縮体（７４）を更に備える、条項９に記載の膨張アセンブリ（１０）。
条項１２
前記弁（７０）の各々の前記収縮体（７４）が、前記ガスが第１の速度で前記ホース（４０）に沿って移動するときに前記チャンバ（７３）の中へ第１の距離だけ延伸する第１の位置と、前記ガスが前記第１の速度より速い第２の速度で前記ホース（４０）に沿って移動するときに前記チャンバ（７３）の中へ前記第１の距離より長い距離延伸する第２の位置と、前記ガスが前記第１の速度未満の第３の速度で前記ホース（４０）に沿って移動するときに前記チャンバ（７３）の中へ前記第１の距離より短い距離延伸する第３の位置と、の間で動く、条項１１に記載の膨張アセンブリ（１０）。
条項１３
前記出口ポート（３０）の各々が、前記付属器具（２０）の前記長手軸から等しい距離だけ離れるように間隔を空けられている、条項８に記載の膨張アセンブリ（１０）。
条項１４
前記ホース（４０）のうちの少なくとも２つが、前記膨張可能デバイス（６０）のうちの１つに連結されている、条項８に記載の膨張アセンブリ（１０）。
条項１５
前記ホース（４０）に沿って前記ガスの流れを感知するように前記ホース（４０）の各々に沿って位置決めされたセンサ（８１）、及び、前記センサ（８１）から信号を受信する制御回路（８０）であって、前記ホース（４０）の各々に沿ったガスの流れを等しくするように動作可能な制御回路（８０）を更に備える、条項８に記載の膨張アセンブリ（１０）。
条項１６
圧力源（５０）からガスを供給する方法であって、
前記圧力源（５０）の出口（５２）から付属器具（２０）の内部空間（２２）の中へ一定の圧力のガスを受け入れること、
前記付属器具（２０）の前記内部空間（２２）から前記付属器具（２０）の周りで間隔を空けられた出口ポート（３０）を通して前記ガスを分配し、推力中立化方式で前記ガスを前記付属器具（２０）から逃がすこと、及び
前記付属器具（２０）から前記出口ポート（３０）の各々に取り付けられたホース（４０）の中へ前記ガスを導くことを含む、方法。
条項１７
前記出口ポート（３０）のうちの第１のものを通して第１の径方向へ前記ガスの第１の部分を分配すること、及び前記出口ポート（３０）のうちの第２のものを通して前記第１の径方向とは反対の第２の径方向へ前記ガスの第２の部分を分配することを更に含む、条項１６に記載の方法。
条項１８
前記出口ポート（３０）の各々及び前記ホース（４０）の各々を通る前記ガスの流量を等しくすることを更に含む、条項１６に記載の方法。
条項１９
前記出口ポート（３０）の各々及び前記ホース（４０）の各々を通る前記ガスの流量を前記等しくすることが、前記ホース（４０）のうちの第１のものに関連付けられた弁（７０）を自動的に調整すること、及び前記ホース（４０）のうちの前記第１のものに沿った前記ガスの前記流量を制御することを含む、条項１８に記載の方法。
条項２０
前記ホース（４０）のうちの第１のものに関連付けられた弁（７０）のサイズを低減させること、及び前記ホース（４０）の各々を通って移動するガスの量を等しくすることを更に含む、条項１６に記載の方法。
【００６１】
本開示は、本開示の本質的な特徴から逸脱することなく、本明細書で具体的に説明された方法とは異なる他の方法で実施することが可能である。本明細書の実施例は、あらゆる点で、全て例示的且つ非限定的であるとみなすべきであり、特許請求の範囲の意味及び均等性の範囲内に入るすべての変更は、特許請求の範囲に包含されることが意図されている。
【図１】
2019116266.tif 000003
【図２】
2019116266.tif 000004
【図３】
2019116266.tif 000005
【図４】
2019116266.tif 000006
【図５】
2019116266.tif 000007
【図６】
2019116266.tif 000008
【図７】
2019116266.tif 000009
【図８】
2019116266.tif 000010
【図９】
2019116266.tif 000011
【図１０】
2019116266.tif 000012
【図１１】
2019116266.tif 000013
【図１２】
2019116266.tif 000014
【図１３】
2019116266.tif 000015
【図１４】
2019116266.tif 000016
【図１５】
2019116266.tif 000017
【図１６】
2019116266.tif 000018
【図１７】
2019116266.tif 000019
【図１８】
2019116266.tif 000020
【図１９】
2019116266.tif 000021
【図２０】
2019116266.tif 000022
【図２１】
2019116266.tif 000023
【図２２】
2019116266.tif 000024
【外国語明細書】
2019116266000001.pdf
2019116266000002.pdf
2019116266000003.pdf
2019116266000004.pdf